(57)【要約】【課題】マザーパネルの状態でも通電検査することができるマザーパネル、その通電検査方法およびマザーパネルを用いて作製した情報表示パネルを提供する。【解決手段】マザーパネルを、一方のマザー基板１２上の画像表示用電極１４を情報表示部以外の部分で他方のマザー基板１１上に異方導電性シール剤（Anisotropic Conductive Seal ：ＡＣＳ）を利用してＡＣＳ接続電極として引き回し、他方のマザー基板上の画像表示用電極とＡＣＳ接続電極とを、他方のマザー基板上に配置して、ＡＣＳ接続の各情報表示パネルを形成する部分を構成するにあたり、他方のマザー基板上の画像表示用電極を他方のマザー基板上に形成された共通電極２１に接続するとともに、他方のマザー基板上のＡＣＳ接続電極を他方のマザー基板の共通電極に接続しないよう構成した。【選択図】図３
2010107723.tif 000002
【特許請求の範囲】
【請求項１】
２枚のパネル基板に形成した画像表示用電極を対向配置して形成した電極対に電圧を印加して、前記２枚のパネル基板間に封止した表示媒体をパッシブ駆動させて、画像などの情報を表示する情報表示パネルを１個以上作製するために用いる、対向する２枚の電極付きマザー基板間に前記表示媒体を配置した構成のマザーパネルにおいて、
一方のマザー基板上の画像表示用電極を情報表示部以外の部分で他方のマザー基板上に異方導電性シール剤（Anisotropic Conductive Seal ：ＡＣＳ）を利用してＡＣＳ接続電極として引き回し、他方のマザー基板上の画像表示用電極とＡＣＳ接続電極とを、他方のマザー基板上に配置して、ＡＣＳ接続の各情報表示パネルを形成する部分を構成するにあたり、他方のマザー基板上の画像表示用電極を他方のマザー基板上に形成された共通電極に接続するとともに、他方のマザー基板上のＡＣＳ接続電極を他方のマザー基板の共通電極に接続しないよう構成したことを特徴とする情報表示パネルのマザーパネル。
【請求項２】
前記２枚のパネル基板に形成した画像表示用電極がともにライン電極であって、このライン電極が互いに直交交差するように対向配置されたことを特徴とする請求項１に記載の情報表示パネルのマザーパネル。
【請求項３】
請求項１または２に記載の情報表示パネルのマザーパネルにおいて、対向する２枚のマザー基板上の各々に形成された共通電極間に駆動電圧を供給して、ＡＣＳ接続の各情報表示パネルの表示確認をマザーパネルの状態で行うことを特徴とする通電検査方法。
【請求項４】
請求項１または２に記載の情報表示パネルのマザーパネルを分断して、各別の情報表示パネルとしたことを特徴とするマザーパネルを用いて作製した情報表示パネル。
【発明の詳細な説明】
【技術分野】
【０００１】
本発明は、１個以上の情報表示パネルを作製するために用いる、画像表示用電極が形成された対向する２つのマザー基板を重ね合わせた構造を有する情報表示パネルのマザーパネル、その通電検査方法およびマザーパネルを用いて作製した情報表示パネルに関するものである。
【背景技術】
【０００２】
上述した構成の情報表示パネルを作製するには、少なくとも１個の情報表示パネルに対応した画像表示用電極が形成されたマザー基板を使用する。図５（ａ）〜（ｃ）はそれぞれ従来のマザー基板の一例を説明するための図である。図５（ａ）〜（ｃ）に示す例では、４個の情報表示パネルを作製できるマザー基板の例を示している。
【０００３】
本例では、図５（ａ）に示すように、まず、前面マザー基板５１と背面マザー基板５２とを準備する。前面マザー基板５１および背面マザー基板５２のそれぞれの対応する位置に、４箇所の個別の情報表示パネル形成部５１−１〜５１−４と５２−１〜５２−４とを設けている。さらに、各パネル形成部（１個の情報表示パネルに対応する部分）には、図５（ａ）に部分拡大図を示すように、前面側の個別の情報表示パネル形成部５１−１〜５１−４には図中縦方向に複数の画像表示用ライン電極５３が設けられ、背面側の個別の情報表示パネル形成部５２−１〜５２−４には図中横方向に複数の画像表示用ライン電極５４が設けられている。このような構成の前面マザー基板５１と背面マザー基板５２とを、図５（ｂ）に示すように、各情報表示パネル形成部において画像表示用ライン電極５３と画像表示用ライン電極５４とが対向して直交するように重ね合わせて、情報表示パネル形成部５１−１〜５１−４と５２−１〜５２−４との間に所定の表示媒体を封入した、マザーパネル５５を作製する。その後、図５（ｃ）に示すように、矢印の部分でマザーパネル５５を切断して、４個の情報表示パネルを得ている。
【０００４】
製品とする情報表示パネルに対しては、出荷前に情報表示パネルの駆動を確認する通電検査を行う必要がある。そのため、上述した従来例においては、図６（ａ）に前面マザー基板５１の一例を示すように、個別の情報表示パネル形成部５１−１〜５１−４の全画像表示用ライン電極５３を、前面マザー基板５１上の個別の情報表示パネル形成部５１−１〜５１−４以外の部分に設けた共通電極６１に、一括して接続して、前面マザー基板５１を構成していた。同様に、図６（ｂ）に背面マザー基板５２の一例を示すように、個別の情報表示パネル形成部５２−１〜５２−４の全画像表示用ライン電極５４を、背面マザー基板５２上の個別の情報表示パネル形成部５２−１〜５２−４以外の部分に設けた共通電極６２に、一括して接続して、背面マザー基板５２を構成していた。そして、マザー基板５１、５２間に表示媒体を配置した後に、図６（ｃ）に示すように、前面マザー基板５１を背面マザー基板５２に重ね合わせてマザーパネル５５とした後、各別の基板のコーナーをカットして露出させた、それぞれのマザー基板の共通電極６１、６２間に電圧を印加して、各情報表示パネルを駆動させて表示確認を行う通電検査を可能としていた（例えば、特許文献２参照）。
【０００５】
【特許文献１】特開２００６−５８６４３号公報
【特許文献２】特開２００７−２３２７６７号公報
【発明の開示】
【発明が解決しようとする課題】
【０００６】
上述した従来例では、各マザー基板５１、５２の画像表示用ライン電極５３、５４はそれぞれのマザー基板５１、５２上を引き回されるだけなので、前面マザー基板５１に共通電極６１を設けるとともに背面マザー基板５２に共通電極６２を設けることができ、共通電極６１、６２間に駆動電圧印加することで通電検査を行うことができる。
【０００７】
しかしながら、例えば、背面マザー基板５２上の画像表示用ライン電極５４を情報表示部以外の部分で前面マザー基板５１上に異方導電性シール剤（ＡＣＳ）を利用してＡＣＳ接続電極として引き回し、前面マザー基板５１上のライン電極５３とＡＣＳ接続電極とを、前面マザー基板５１上に配置して、ＡＣＳ接続の情報表示パネルを作製する場合、以下のような問題が発生していた。すなわち、上述した従来例のように、背面マザー基板上の画像表示用ライン電極５４を背面マザー基板上の共通電極６２に接続するとともに、前面マザー基板５１上の画像表示用ライン電極５３とＡＣＳ接続電極とを前面マザー基板５１上に形成した共通電極６１に接続すると、前面マザー基板５１上の画像表示用ライン電極５３と背面マザー基板５２上の画像表示用ライン電極５４とがショート（短絡）してしまうため、共通電極６１と６２との間に駆動電圧を印加することによるマザーパネル５５の状態での通電検査ができない問題があった。
【０００８】
本発明の目的は上述した問題点を解消して、マザーパネルの状態でも通電検査することができるマザーパネル、その通電検査方法およびマザーパネルを用いて作製した情報表示パネルを提供しようとするものである。
【課題を解決するための手段】
【０００９】
本発明の情報表示パネルのマザーパネルは、２枚のパネル基板に形成した画像表示用電極を対向配置して形成した電極対に電圧を印加して、前記２枚のパネル基板間に封止した表示媒体をパッシブ駆動させて、画像などの情報を表示する情報表示パネルを１個以上作製するために用いる、対向する２枚の電極付きマザー基板間に前記表示媒体を配置した構成のマザーパネルにおいて、一方のマザー基板上の画像表示用電極を情報表示部以外の部分で他方のマザー基板上に異方導電性シール剤（Anisotropic Conductive Seal ：ＡＣＳ）を利用してＡＣＳ接続電極として引き回し、他方のマザー基板上の画像表示用電極とＡＣＳ接続電極とを、他方のマザー基板上に配置して、ＡＣＳ接続の各情報表示パネルを形成する部分を構成するにあたり、他方のマザー基板上の画像表示用電極を他方のマザー基板上に形成された共通電極に接続するとともに、他方のマザー基板上のＡＣＳ接続電極を他方のマザー基板の共通電極に接続しないよう構成したことを特徴とするものである。」  なお、本発明の情報表示パネルのマザーパネルの好適例として、２枚のパネル基板に形成した画像表示用電極がともにライン電極であって、このライン電極が互いに直交交差するように対向配置されたこと、がある。
【００１０】
また、本発明の通電検査方法は、上述した情報表示パネルのマザーパネルにおいて、ＡＣＳ接続電極と共通電極との間に駆動電圧を供給して、ＡＣＳ接続の各情報表示パネルの表示確認をマザーパネルの状態で行うことを特徴とするものである。
【００１１】
さらに、本発明のマザーパネルを用いて作製した情報表示パネルは、上述した情報表示パネルのマザーパネルを分断して、各別の情報表示パネルとしたことを特徴とするものである。
【発明の効果】
【００１２】
本発明によれば、一方のマザー基板上の画像表示用電極を情報表示部以外の部分で他方のマザー基板上に異方導電性シール剤（ＡＣＳ）を利用してＡＣＳ接続電極として引き回し、他方のマザー基板上の画像表示用電極とＡＣＳ接続電極とを、他方のマザー基板上に配置して、ＡＣＳ接続の各情報表示パネルを形成する部分を構成するにあたり、他方のマザー基板上の画像表示用電極を他方のマザー基板上に形成された共通電極に接続するとともに、他方のマザー基板上のＡＣＳ接続電極を他方のマザー基板の共通電極に接続しないよう構成したことで、マザーパネルの状態でも通電検査することができるマザーパネル、その通電検査方法およびマザーパネルを用いて作製した情報表示パネルを得ることができる。
【発明を実施するための最良の形態】
【００１３】
まず、本発明のマザーパネルから製造される情報表示パネルの一例として、帯電性粒子を含んだ粒子群を表示媒体として駆動させる方式の情報表示パネルの基本的な構成について説明する。前記情報表示パネルでは、対向する２枚の基板間に封入した表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、表示情報を書き換える時あるいは表示した情報を継続して表示する時の安定性を維持できるように、情報表示パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１４】
本発明の対象となる帯電粒子電界駆動方式の情報表示パネルの例を、図１（ａ）、（ｂ）〜図２（ａ）、（ｂ）に基づき説明する。
【００１５】
図１（ａ）、（ｂ）に示す例では、少なくとも光学的反射率および帯電性を有する粒子を含んだ粒子群として構成した光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板２に設けた画像表示用ライン電極６と基板１に設けた画像表示用ライン電極５とが対向直交交差して形成する画素電極対に電圧を印加することにより発生する電界に応じて、基板１、２と垂直に移動させる。そして、図１（ａ）に示すように白色表示媒体３Ｗを観察者に視認させて白色表示を、あるいは、図１（ｂ）に示すように黒色表示媒体３Ｂを観察者に視認させて黒色表示を、白黒のドットでマトリックス表示している。なお、図１（ａ）、（ｂ）において、手前にある隔壁は省略している。
【００１６】
図２（ａ）、（ｂ）に示す例では、少なくとも光学的反射率および帯電性を有する粒子を含んだ粒子群として構成した光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（セグメント電極）と基板２に設けた電極６（セグメント電極）とが対向して形成する電極対に電圧を印加することにより発生する電界に応じて、基板１、２と垂直に移動させる。そして、図２（ａ）に示すように白色表示媒体３Ｗを観察者に視認させて白色セグメント表示を行うか、あるいは、図２（ｂ）に示すように黒色表示媒体３Ｂを観察者に視認させて黒色セグメント表示を行っている。なお、図２（ａ）、（ｂ）において、手前にある隔壁は省略している。
【００１７】
なお、上述した例のように、ライン電極またはセグメント電極を配置した情報表示パネルに本発明を適用でき、セグメント電極の場合はマトリックス配置する必要もないし、ドット形状である必要もない。
【００１８】
図３（ａ）〜（ｃ）はそれぞれ本発明の情報表示パネルのマザーパネルの一例を説明するための図である。
【００１９】
図３（ａ）〜（ｃ）に示す例では、まず、図３（ａ）に前面マザー基板１１の一例を示すように、個別の情報表示パネル形成部１１−１〜１１−４の全画像表示用ライン電極１３を、前面マザー基板１１上の個別の情報表示パネル形成部１１−１〜１１−４以外の部分に設けた共通電極２１に、一括して接続するとともに、異方導電性シール剤（ＡＣＳ）を利用して背面マザー基板１２上の画像表示用ライン電極１４と接続するＡＣＳ接続電極３１を前面マザー基板上に形成した共通電極２１に接続しないよう構成して、前面マザー基板１１を構成する。一方、図３（ｂ）に背面マザー基板１２の一例を示すように、個別の情報表示パネル形成部１２−１〜１２−４の全画像表示用ライン電極１４を、背面マザー基板１２上の個別の情報表示パネル形成部１２−１〜１２−４以外の部分に設けた共通電極２２に、一括して接続して、背面マザー基板１２を構成する。そして、マザー基板１１、１２間に表示媒体を配置するとともに、前面マザー基板１１上のＡＣＳ接続電極３１と背面マザー基板１２上の画像表示用ライン電極１４の共通電極２２への延長部１４ａとの間に異方導電性シール剤を配置した状態で、図３（ｃ）に示すように、前面マザー基板１１を背面マザー基板１２に重ね合わせて、情報表示パネル形成部１１−１〜１１−４と１２−１〜１２−４との間に所定の表示媒体を封入した、マザーパネル１５を形成する。その後、各別の基板のコーナーをカットして露出させた、それぞれのマザー基板の共通電極２１、２２間に駆動電圧を印加して、各情報表示パネルの表示確認を行う通電検査を行う。
【００２０】
図３（ａ）〜（ｃ）に示す本発明の情報表示パネルのマザーパネルでは、前面マザー基板１１上において、背面マザー基板１２上の画像表示用ライン電極１４と異方導電性シール剤（ＡＣＳ）を介して電気的に接続されているＡＣＳ接続電極３１が共通電極２１と接続されていないため、前面マザー基板１１上の共通電極２１と背面マザー基板１２上の共通電極２２とはショート（短絡）しない。そのため、共通電極２１と２２との間に駆動電圧を印加することで、マザーパネル１５の状態のまま通電検査を実施することができる。また、通電検査後、マザーパネル１５を分断することで、ＡＣＳ接続により一方のパネル基板上に電極を集めた構造の情報表示パネルを得ることができる。
【００２１】
以下、本発明のマザー基板から製造される情報表示パネルを構成する各部材について説明する。
【００２２】
基板については、少なくとも一方の基板は情報表示パネル外側から表示媒体の色が確認できる透明な基板２であり、可視光の透過率が高くかつ耐熱性の良い材料が好適である。基板１は透明でも不透明でもかまわない。基板材料を例示すると、ポリエチレンテレフタレート、ポリエチレンナフタレート、ポリエーテルサルフォン、ポリエチレン、ポリカーボネート、ポリイミド、アクリルなどのポリマーシートや、金属シートのように可とう性のあるもの、および、ガラス、石英などの可とう性のない無機シートが挙げられる。金属シートの場合、その上に形成する電極との間には絶縁膜を設ける。基板の厚みは、２〜２０００μｍが好ましく、さらに５〜１０００μｍが好適であり、薄すぎると、強度、基板間の間隔均一性を保ちにくくなり、２０００μｍより厚いと、薄型情報表示パネルとする場合に不都合がある。
【００２３】
電極形成材料としては、アルミニウム、銀、ニッケル、銅、金等の金属類や酸化インジウム錫（ＩＴＯ）、酸化インジウム亜鉛（ＩＺＯ）、酸化インジウム、アルミニウムドープ酸化亜鉛（ＡＺＯ）、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され適宜選択して用いられる。電極の形成方法としては、上記例示の材料をスパッタリング法、真空蒸着法、ＣＶＤ（化学蒸着）法、塗布法等で薄膜状に形成する方法や、金属箔をラミネートする方法（例えば、圧延銅箔などがある）、導電剤を溶媒や合成樹脂バインダーに混合して塗布したりする方法が用いられる。視認側であり透明である必要のある表示面側基板２に設ける電極は透明である必要があるが、背面側基板１に設ける電極は透明である必要はない。いずれの場合もパターン形成可能で導電性である上記材料を好適に用いることができる。なお、電極厚みは、導電性が確保でき光透過性に支障がなければ良く、０．０１〜１０μｍ、好ましくは０．０５〜５μｍで設けられる。背面側基板１に設ける電極の材質や厚みなどは上述した表示面側基板に設ける電極と同様であるが、透明である必要はない。
【００２４】
基板間に設ける場合の隔壁４については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。基板間ギャップ確保用として設ける隔壁の高さは１０〜５００μｍであり、この隔壁の高さが基板間ギャップとなり、表示媒体を収納するセル形成用の隔壁はこの１０〜５００μｍの範囲内で形成されれば、低い隔壁としてもよい。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、図４に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示パネルに好適に用いることができるが、これらのうち、レジストフィルムを用いるフォトリソ法や金型転写法が好適に用いられる。
【産業上の利用可能性】
【００２５】
本発明の情報表示パネルは、ノートパソコン、電子手帳、ＰＤＡ(Personal Digital Assistants)と呼ばれる携帯型情報機器、携帯電話、ハンディターミナル等のモバイル機器の表示部、電子書籍、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に好適に用いられるほか、外部書換え手段に接続して表示書換えを行う表示部（リライタブルペーパー）としても好適に用いられる
【００２６】
本発明のマザーパネルから製造されるドットマトリックス表示型の情報表示パネルに用いる表示媒体については、帯電性粒子を含んだ粒子群や導電性粒子を含んだ粒子群のように、駆動しきい値を有しパッシブ駆動が可能なタイプの表示媒体が好ましく用いられるが、セグメント電極で構成するセグメント表示型の場合には、駆動しきい値を有していないタイプの表示媒体（液晶など）も好適に用いられる。
【図面の簡単な説明】
【００２７】
【図１】（ａ）、（ｂ）はそれぞれ本発明のマザーパネルから製造される情報表示パネルの一例を示す図である。
【図２】（ａ）、（ｂ）はそれぞれ本発明のマザーパネルから製造される情報表示パネルの他の例を示す図である。
【図３】（ａ）〜（ｃ）はそれぞれ本発明の情報表示パネルのマザーパネルの一例を説明するための図である。
【図４】本発明のマザーパネルから製造される情報表示パネルにおける隔壁の形状の一例を示す図である。
【図５】（ａ）〜（ｃ）はそれぞれ従来のマザーパネルの一例を説明するための図である。
【図６】（ａ）〜（ｃ）はそれぞれ従来のマザーパネルの他の例を説明するための図である。
【符号の説明】
【００２８】
１、２  基板
３Ｗ  白色表示媒体
３Ｗａ  負帯電性白色粒子
３Ｂ  黒色表示媒体
３Ｂａ  正帯電性黒色粒子
４  隔壁
５、６  画像表示用電極
１１  前面マザー基板
１１−１〜１１−４、１２−１〜１２−４  情報表示パネル形成部
１２  背面マザー基板
１３、１４  画像表示用ライン電極
１４ａ  延長部
１５  マザーパネル
２１、２２  共通電極
３１  ＡＣＳ接続電極
【図１】
2010107723.tif 000003
【図２】
2010107723.tif 000004
【図３】
2010107723.tif 000005
【図４】
2010107723.tif 000006
【図５】
2010107723.tif 000007
【図６】
2010107723.tif 000008